(57)【特許請求の範囲】
【請求項１】
複数の折りロ−ラと、用紙の先端が引き込まれる複数のバックルとを有し、前記折りロ−ラとバックルとの組み合わせで用紙に所定の折形を付与する用紙折り部と、折形が入力される制御部とを備え、前記制御部は入力された折形に対応して各折りロ−ラを通過する用紙の最大値と最小値を演算し、折りに使用する折りロ−ラ間の間隔を前記演算で求めた最小値に調整し、折りに使用しない折りロ−ラ間の間隔を前記演算で求めた最大値に調整することを特徴とする用紙折機。
【請求項２】
前記用紙折り部に、折りナイフおよび一対の折りロ−ラを有する他の用紙折り部を連接して設けたことを特徴とする請求項１に記載の用紙折機。
【請求項３】
前記制御部は、入力される折形に対応させて用紙のパ−セント領域毎の重なり枚数を演算すると共に、当該演算結果をパタ−ン表示する表示部を設けたことを特徴とする請求項１または請求項２に記載の用紙折機。
【発明の詳細な説明】
【０００１】
【発明の属する技術分野】
本発明は、折りロ−ラ間の間隔の設定を簡単に行なえる構成とした用紙折機に関するものである。
【０００２】
【従来の技術】
文字や図形等が記入された用紙を所定の大きさに折り込み、ファイルに綴じたり封筒に入れる場合がある。図１４〜図１６はこのような用紙折り込みの例を示す概略の斜視図である。図１４の例では、用紙Ｐを中央部のＸの位置で内側に二つ折りにしてＰａ、Ｐｂを形成する例である。
【０００３】
また、図１５の例は、用紙ＰのＸの位置で内側に一度折り込み、更にＰａの面をＹの位置で外側に折り込んで三つ折り（片袖折り）にする例である。図１６の例は、図１４のように二つ折りにした用紙Ｐを更にＺの位置で内側に折り込み、四つ折りとした例を示している。このように、所定の位置で二つ折りにする等の種々の折形を多数の用紙に連続して付する場合には、用紙折機が使用される。この用紙折機は、折りロ−ラを用いて用紙に折形を付与するものである。
【０００４】
図１７は、このような用紙折機の構成の例を示す説明図である。図１７において、Ｓは搬送部、Ｔは第１の用紙折り部、Ｒは第２の用紙折り部である。印刷機から排出されたり、または印刷された用紙を予め集積しておく用紙トレイから、用紙Ｐが搬送部Ｓにより矢視ａ方向で第１の用紙折り部Ｔに搬送されてくる。
【０００５】
搬送部Ｓの終端付近にはガイド板Ｓ１、Ｓ２が設けられている。各ガイド板Ｓ１、Ｓ２は、用紙Ｐの幅方向のサイズに応じてそれぞれ矢視Ｇ１、Ｇ２方向に移動し、第１の用紙折り部Ｔおよび第２の用紙折り部Ｒに対して用紙Ｐの位置合わせを行なう。
【０００６】
第１の用紙折り部Ｔには、所定数の折りロ−ラＴ１、用紙の先端を引き込む第１および第２のバックルＴ２、Ｔ３が設けられている。矢視ｂ方向から第１の用紙折り部Ｔに搬入された用紙Ｐは、第１および第２のバックルＴ２、Ｔ３と、折りロ−ラＴ１が協同して作用することにより、設定された種々の形状の折形が付与される。この例では二つ折りの折形が付与された用紙Ｐが、第１の用紙折り部Ｔから矢視ｃ方向に搬出される。
【０００７】
第２の用紙折り部Ｒには、折りナイフＲ１、一対の折りロ−ラＲ２が設けられている。第１の用紙折り部Ｔにおいて前記のように所定の形状、例えば二つ折りの折形が付与された用紙Ｐが一対の折りロ−ラＲ２の上に搬入される。
【０００８】
この際に、折りナイフＲ１が矢視ｄ方向から移動して、用紙Ｐを一対の折りロ−ラＲ２間に押し込むように動作し、また、一対の折りロ−ラＲ２は矢視Ｒａ、Ｒｂ方向に回転して用紙Ｐに折形を付与しながら矢視ｅ方向に給送する。このようにして、用紙Ｐには図１６に示したような、折り位置が直交する方向に形成される四つ折りの折形が付与される。
【０００９】
第２の用紙折り部Ｒは、図１６の四つ折りの折形が付与される例のように、折り位置が直交する方向に形成されるように折り込む際に必要となるが、図１５の片袖折りの例のように、折り位置が反対になったときに一枚だけ折り込むような折形を付与する際には、第１の用紙折り部Ｔのみで対処できる。
【００１０】
図１８は、第１の用紙折り部Ｔの動作を模擬して示す側面図である。折りロ−ラＴ１は、固定ロ−ラＴｂと、可動ロ−ラＴａ、Ｔｃ、Ｔｄで構成されている。各可動ロ−ラＴａ、Ｔｃ、Ｔｄは、それぞれロ−ラ内に示している矢視方向に昇降または左右に移動する。
【００１１】
バックルＴ２、Ｔ３には、それぞれストッパＱａ、Ｑｂが設けられており、用紙サイズや折形に応じて各ストッパＱａ、Ｑｂは、矢視Ｓａ、Ｌａ方向、または矢視Ｓｂ、Ｌｂ方向に移動する。
【００１２】
折りロ−ラのＴａ〜Ｔｄは、初期状態ではそれぞれ接触した状態となっているが、折形を付与する際には折りロ−ラ間を通過する用紙の枚数に合わせて折りロ−ラ間の間隔を調整している。このような折りロ−ラ間の間隔調整は、用紙挾み部Ｕによってなされている。用紙挾み部Ｕには、識別マ−クＡ、Ｂ、Ｃが付されている三個所の調整部が設けられている。
【００１３】
例えば、用紙に図１５に示したように片袖折りの折形を付与する場合には、折りロ−ラＴａとＴｂ間を通過する用紙は一枚であり、折りロ−ラＴｂとＴｃ間を通過する用紙は二つに折り込まれた用紙となるので二枚である。また、折りロ−ラＴｃとＴｄ間を通過する用紙は二つに折り込まれた用紙の一方を更に折り返して重ねているので三枚になる。
【００１４】
このように、折形を付与する用紙の材質が選定され、また折形の形状が選定されると、用紙挾み部Ｕの各調整部Ａ、Ｂ、Ｃには、同じ材質の用紙の小片を用いて各折りロ−ラ間の間隔を調整する。前記の例であれば、調整部Ａでは用紙一枚分折りロ−ラＴａとＴｂ間の間隔を開ける。調整部Ｂでは用紙二枚分折りロ−ラＴｂとＴｃ間の間隔を開ける。調整部Ｃでは用紙三枚分折りロ−ラＴｃとＴｄ間の間隔を開ける。
【００１５】
Ｖは搬出部で、一対の送りロ−ラＶａ、Ｖｂが設けられており、第１の用紙折り部Ｔで折形が付与された用紙を第２の用紙折り部Ｒに搬出する。第２の用紙折り部Ｒによる折形の付与が不要であれば、第１の用紙折り部Ｔで折形が付与された用紙をそのまま外部に搬出する。
【００１６】
近年、コンピュ−タ制御の用紙折機が開発されており、各折りロ−ラ間の間隔設定を自動的に行なう試みがなされている。このようなコンピュ−タ制御の用紙折機においては、種々の折形に対応して各折りロ−ラ間の間隔を予め記憶装置に記憶させておき、折形が決まるとこの記憶装置に記憶されている折りロ−ラ間の間隔を読みだして設定するものである。
【００１７】
また、コンピュ−タ制御の用紙折機においては、用紙の厚さに対応させてユ−ザが手動で各折りロ−ラ間の間隔を入力して記憶装置に記憶させておき、これを読み出して各折りロ−ラ間の間隔を設定する場合もある。
【００１８】
【発明が解決しようとする課題】
このように、従来の用紙折機においては、用紙のサイズや材質、折形の形状を選定すると、使用するバックルを設定する。使用するバックルが設定されると、前記のように折りロ−ラ間の間隔調整を行なうが、用紙挾み部Ｕの各調整部Ａ、Ｂ、Ｃにおいて、用紙を何枚挾んで対応する折りロ−ラの間隔調整を行なうかは、折形が付与される用紙の材質（用紙の厚さ）および折形に対応して、作業員が経験に基づき判断していた。このような判断は、用紙折機の扱いに習熟した作業員を必要としており、時間もかかるという問題があった。
【００１９】
また、コンピュ−タ制御の用紙折機においては、多種類の折形に対応させて折りロ−ラ間の間隔を設定したテ−ブルを形成して、このテ−ブルを予め記憶装置に記憶させているので、記憶装置の容量が不足するという問題があった。更に、ユ−ザが折りロ−ラ間の間隔を記憶装置に入力しこれを読み出して設定する場合には、用紙折形の操作が複雑になるという問題があった。
【００２０】
本発明はこのような問題に鑑み、折りロ−ラ間の間隔の設定を簡単に行なえる構成とした用紙折機の提供を目的とする。
【００２１】
【課題を解決するための手段】
本発明の上記目的は、請求項１に係る発明において用紙折機を、複数の折りロ−ラと、用紙の先端が引き込まれる複数のバックルとを有し、前記折りロ−ラとバックルとの組み合わせで用紙に所定の折形を付与する用紙折り部と、折形が入力される制御部とを備え、前記制御部は入力された折形に対応して各折りロ−ラを通過する用紙の最大値と最小値を演算し、折りに使用する折りロ−ラ間の間隔を前記演算で求めた最小値に調整し、折りに使用しない折りロ−ラ間の間隔を前記演算で求めた最大値に調整する構成とすることによって達成できる。
【００２２】
また、請求項２に係る発明においては、請求項１に記載の用紙折機において、前記用紙折り部に、折りナイフおよび一対の折りロ−ラを有する他の用紙折り部を連接して設けたことを特徴とする。
【００２３】
また、請求項３に係る発明においては、請求項１または請求項２に記載の用紙折機において、前記制御部は、入力される折形に対応させて用紙のパ−セント領域毎の重なり枚数を演算すると共に、当該演算結果をパタ−ン表示する表示部を設けたことを特徴とする。
【００２４】
請求項１に係る発明は、入力された折形に対応して各折りロ−ラを通過する用紙の最大値と最小値を演算する制御部を設け、前記演算結果に基づいて、折りロ−ラ間の間隔を調整する構成としている。このため、折りロ−ラ間の間隔調整を簡単に行なうことができる。また、多種類の折形に対応させて折りロ−ラ間の間隔を設定したテ−ブルを予め記憶装置に記憶させる必要がないので、記憶装置の有効利用が図れる。
【００２５】
また、請求項２に係る発明は、折りロ−ラとバックルとの組み合わせで用紙に所定の折形を付与する用紙折り部に、折りナイフおよび一対の折りロ−ラを有する他の用紙折り部を連接して設けているので、多様な折形の付与に対応できる。
【００２６】
また、請求項３に係る発明は、入力される折形に対応させて用紙のパ−セント領域毎の重なり枚数を演算する制御部を設けると共に、当該演算結果をパタ−ン表示する表示部を設けているので、用紙の各パ−セント領域の重なり枚数、すなわち、折形の特性を視覚により把握することができる。
【００２７】
【発明の実施の形態】
以下、本発明の実施の形態に係る用紙折機について説明する。本発明においては、折形が決定されると当該折形に対応して用紙の各領域の重なり枚数、すなわち、重なり枚数の最大値と最小値を演算し、この重なり枚数によって折りロ−ラ間の間隔が用紙何枚分の厚さに相当するかを表わして、各折りロ−ラ間の間隔調整を行なうものである。
【００２８】
図８は、本発明の基本原理の説明図である。図８（ａ）において、四辺ＡＢＤＣからなる用紙Ｐの一辺ＡＣを、辺ＡＢ、ＣＤ上で折り返すものとする。この際に、辺ＢＤからはみでる最大の折り返しはみ出し長さは、一辺ＡＣを辺ＢＤを中心として矢視Ｗ方向に折り返した場合に相当する。
【００２９】
用紙Ｐは、初期状態では辺ＡＣの位置を基準として、長さ方向に辺ＢＤまでの大きさを有している。ここで、用紙Ｐのサイズを、辺ＡＣの位置を０％、辺ＢＤの位置を１００％で表わし、また、用紙Ｐを折り返した際のはみ出し長さを１０１％〜２００％で表わすものとする。
【００３０】
このときの、用紙Ｐの各領域の用紙の枚数は、０％〜１００％の領域では、〔１〕であり、１０１％〜２００％の領域では〔０〕である。すなわち、図８（ａ）に示すように、用紙Ｐのサイズを％で表示したときに、各％領域の用紙枚数を表示するアルゴリズムを、本発明においては、「用紙配列〔Ｎ〕」と定義する。ここで、Ｎは０、１、２、３・・・の数字である。
【００３１】
図８（ｂ）は、用紙Ｐを７５％の領域で折り返した例である。この場合には、用紙配列のアルゴリズムは、０％〜７５％の領域では〔０〕であり、７６％〜１００％の領域では〔２〕である。また、１０１％〜１７５％の領域では〔１〕であり、１７６％〜２００％の領域では〔０〕である。
【００３２】
図９、図１０は、片袖折りを行なう際の用紙配列のアルゴリズムを説明する説明図である。また、図１１〜図１３は、片袖折りを行なう際の折りロ−ラとバックルの動作を説明する側面図である。次に、図１１〜図１３により片袖折りの動作例を説明する。なお、図１１〜図１３は図１８の例と対応させて符号を付与している。
【００３３】
第１、第２バックルストッパＱａ、Ｑｂの位置を設定し、各折りロ−ラ間の間隔調整を行なって、用紙Ｐを給紙して折りロ−ラＴａとＴｂ間を通過させ、用紙Ｐを第１バックルＴ２に引込み、先端を第１バックルストッパＱａの位置で停止させる。先端が第１バックルストッパＱａで押えられても、用紙Ｐは折りロ−ラＴａとＴｂにより更に給送されるので、折りロ−ラＴｂ、Ｔｃ間に次第に撓みが生じてくる。
【００３４】
撓みが生じた用紙Ｐは、次に図１２に示されるようにして折りロ−ラＴｂ、Ｔｃ間で折形が付与されながら第２バックルＴ３に引き込まれ、その先端が第２バックルストッパＱｂの位置で停止する。先端が第２バックルストッパＱｂで押えられても、用紙Ｐは折りロ−ラＴａとＴｂ、および折りロ−ラＴｂとＴｃにより更に給送されるので、折りロ−ラＴｃ、Ｔｄ間に次第に撓みが生じてくる。
【００３５】
撓みが生じた用紙Ｐは、次に図１３に示されるようにして折りロ−ラＴｃ、Ｔｄ間で折形が付与されながら、送りロ−ラＶａ、Ｖｂより次工程に搬出される。このようにして、用紙Ｐには片袖折りが付与される。
【００３６】
次に、図１１〜図１３で示したような片袖折りを行なう際の用紙配列のアルゴリズムを図９、図１０により説明する。図９（ａ）において、用紙Ｐは領域２５％のＧＨの位置で折り返されて、一辺ＡＣの位置は、５０％の領域でＥＦと重ねられる。
【００３７】
この際の用紙配列のアルゴリズムは、０〜２５％の領域で〔０〕、２６〜５０％の領域で〔２〕、５１〜１００％の領域で〔１〕、１０１〜２００％の領域で〔０〕となる。この場合には、用紙の先頭位置に用紙配列〔０〕が設定されるので、事後の演算処理を簡便にするために、基準となる０％の位置に用紙の先頭位置を揃える。
【００３８】
すなわち、図９（ｂ）に示すように、ＧＨの位置を２５％進めるものである。このような用紙Ｐの先頭位置を進める処理を行なうと、用紙配列のアルゴリズムは、０〜２５％の領域で〔２〕、２６〜７５％の領域で〔１〕、７６〜２００％の領域で〔０〕となる。この際には、図１２の折りロ−ラＴｂ、Ｔｃ間を通過する用紙の最大値は〔２〕、最小値は〔１〕となるので、この値を記憶部の所定の領域に記憶する。
【００３９】
次に図１０（ａ）に示すように、図９（ａ）の用紙配置において５０％の領域に相当するＥＦの線を引き出し、ＧＡＣＨの面を裏側に折り返す。この際の用紙配列のアルゴリズムは、０〜２５％の領域で〔０〕、２６〜５０％の領域で〔３〕、５１〜７５％の領域で〔１〕、７６〜２００％の領域で〔０〕となる。
【００４０】
この場合にも図１０（ｂ）に示すように、ＥＦの位置を２５％進め用紙Ｐの先頭位置を進める処理を行なう。したがって、用紙配列のアルゴリズムは、０〜２５％の領域で〔３〕、２６〜５０％の領域で〔１〕、５１〜２００％の領域で〔０〕となる。この際には、図１３の折りロ−ラＴｃ、Ｔｄ間を通過する用紙の最大値は〔３〕、最小値は〔１〕となるので、この値を記憶部の所定の領域に記憶する。
【００４１】
図１１〜図１３の例では、簡単のためにバックルがＴ２、Ｔ３の２個所に配置され、折りロ−ラはＴａ〜Ｔｄの４個設けられている例で説明したが、更に多数のバックルと折りロ−ラが設置される場合がある。上記図８〜図１０に示したように片袖折りを行なう場合には、次段以後に設置されているバックルと折りロ−ラは使用せずに、折りロ−ラ間を通過する用紙の最大厚さ〔３〕、最小厚さ〔１〕のみを記憶部の所定の領域に記憶させる。
【００４２】
あるバックルの出口側の折りロ−ラの間隔は、次段に設置されているバックルも使用する場合には、前記演算で求めた用紙厚さの最小値を設定し、次段に設置されているバックルは使用しない場合には、前記演算で求めた用紙厚さの最大値を設定する。
【００４３】
例えば図１２の例であれば、この場合の用紙折り処理には、バックルＴ２の次段に設置されているバックルＴ３を使用するので、バックルＴ２の出口側の折りロ−ラＴｂ、Ｔｃ間の間隔は最小値の「１」を設定する。これは、二つ折りにされた用紙Ｐの先端をバックルＴ３のストッパＱｂの位置にまで給送する際に、用紙Ｐの後方では折りロ−ラＴｂ、Ｔｃ間を通過する用紙が１枚となる場合があり、このような場合にも確実に用紙ＰをバックルＴ３のストッパＱｂの位置に給送するためである。
【００４４】
なお、用紙Ｐの先端の重なり枚数は「２」であるが、折りロ−ラＴｂ、Ｔｃ間の間隔を最小値の「１」に設定されているとしても、折りロ−ラＴｃはバネ作用で用紙が通過する際にロ−ラＴｂとの間隔を拡張する方向に移動する。
【００４５】
また、図１２の例で用紙Ｐを二つ折りのまま排出する場合には、バックルＴ３は使用せず、二つ折りにされた用紙は、折りロ−ラＴｂ、Ｔｃ間で折形が付与されると、続いて折りロ−ラＴｃ、Ｔｄ間で引き込まれて給送される。このため、バックルＴ２の出口側の折りロ−ラＴｂ、Ｔｃ間の間隔は、最大値の「２」に設定される。
【００４６】
このように、本発明においては、各折りロ−ラを通過する用紙の最大値〔Ｎａ〕、最小値〔Ｎｂ〕を、折り処理を行なう毎に演算で求めて記憶させている。このため、従来のように各折形に対応させて各折りロ−ラ間の間隔を予め記憶部にテ−ブルの形態で記憶させているものよりも、記憶部の容量を大幅に低減することが可能となり、記憶部の有効利用が図れる。
【００４７】
また、上記のように演算処理の際に、折形に対応して用紙の％領域で用紙の厚さを展開しているので、用紙サイズに拘らず処理領域を固定化でき、演算を迅速に行なえる。また、用紙配列には折り返しのための１０１〜２００％領域を設定して演算領域を確保しており、折り返し処理毎に用紙先頭を揃える処理を行なっているので、どのような折り処理にも例外なく対応できる。更に、各折りロ−ラを通過する用紙枚数の最大値と最小値とを算出して、次段のバックルの使用の有無に応じて、各折りロ−ラの間隔調整を最大値と最小値のいずれを選択するかを決定しているので、手動設定と同様の処理が行なえる。
【００４８】
図４は、本発明に係る用紙折機の制御装置を示すブロック図である。次にこのブロック図について説明する。この制御装置は、各種ボタンからなる入力部Ａ１、中央演算処理装置（ＣＰＵ）等を用いた制御部Ｂ１、表示ランプ、電子管、ＣＲＴ、液晶等を用いた表示部Ｃ１、ガイド板駆動用モ−タ制御回路Ｄ１、スタ−ト、ストップボタンＥ１、記憶部Ｆ１、ストッパ駆動用モ−タ制御回路Ｇ１で構成されている。
【００４９】
入力部Ａ１には、折形を付与する用紙のサイズを設定する用紙サイズボタンａ、二つ折り、三つ折り等の折形の形態を設定する折形ボタンｂ、折形を付与する用紙の枚数を設定する数値セットボタンｃ、複数設置されているバックルストッパのいずれを選択するかを設定するストッパ選択ボタンｄ、設定されたバックルのバックルストッパを、例えば図１８に示したバックルストッパＱａを矢視Ｓａ、Ｌａ方向のいずれの方向に移動するかを設定するＳ、Ｌ方向ボタンｅ、用紙材質により異なる用紙の厚みをノギス等で測定して設定する用紙材質設定ボタンｆが設けられている。
【００５０】
ここで、前記ストッパ選択ボタンｄ、Ｓ、Ｌ方向ボタンｅの設定について説明する。例えば、図１４に示したような二つ折りの折形を付与する場合において、図示を省略している試し折りを設定して用紙折機を動作させた際に、折形の位置が中央からずれた状態で出力されたとする。このようなときには、ストッパ選択ボタンｄは図１８の例ではバックルストッパＱａを選択する。
【００５１】
次に、用紙を二つ折りにしたときに、図１４のＰａ、Ｐｂのいずれの側が長いかをみてＳ、Ｌ方向ボタンｅを設定する。この設定でボタンを押す毎に、ストッパ駆動用モ−タ制御回路Ｇ１からの制御信号でステッピングモ−タを駆動し、例えば０．２ｍｍ単位でＳ、Ｌ方向ボタンｅで設定された方向にバックルストッパＱａが移動する。
【００５２】
図１５のように、用紙を片袖折りにする際に折形がＹの位置からずれている場合には、ストッパ選択ボタンｄはバックルストッパＱｂを選択する。この場合にも、ずれた位置を修正する方向にＳ、Ｌ方向ボタンｅを設定する。前記図１４の例で説明したと同様に、ストッパ駆動用モ−タ制御回路Ｇ１からの制御信号でステッピングモ−タを駆動し、バックルストッパＱｂを移動させる。
【００５３】
数値セットボタンｃにより折り処理する用紙の枚数を設定すると、その数値は表示部Ｃ１の電子管にアナログで表示される。この電子管は、操作パネルに例えば４本設置しておき、４桁の数値を表示できるようにしてある。操作パネルには、Ａ３、Ａ４、Ｂ４、Ｂ５等の用紙サイズに対応させて表示ランプが設けられており、用紙サイズボタンａを押す毎に表示ランプの点灯位置が移動する。また、操作パネルには二つ折り、三つ折り等の種々の折形に対応させて表示ランプが設けられており、折形ボタンｂを押す毎に表示ランプの点灯位置が移動する。
【００５４】
折形を付与する用紙の用紙サイズを決定し、用紙サイズボタンａを押すと、制御部Ｂ１はガイド板駆動用モ−タ制御回路Ｄ１に信号を送り、ガイド板駆動用モ−タ制御回路Ｄ１は所定の制御信号を形成して、ガイド板駆動用モ−タに制御信号を印加する。このため、図１７で説明したガイド板Ｓ１、Ｓ２は矢視Ｇ１、Ｇ２方向に所定距離移動する。
【００５５】
用紙サイズボタンａ、折形ボタンｂ、ストッパ選択ボタンｄ、Ｓ、Ｌ方向ボタンｅ、用紙材質ボタンｆによる設定内容は、メモリボタンを押すことにより記憶部Ｆ１の所定のエリアに登録される。この登録内容は、呼出しボタンを押すことにより記憶部Ｆ１から呼出すことができる。
【００５６】
図１は、図４に示した表示部Ｃ１のＣＲＴや液晶で構成される表示画面の一例を示す説明図である。図１において、表示画面１には、タッチキ−２、用紙の枚数表示欄３、アップキ−４、ダウンキ−５が設けられている。また、可動ロ−ラ６、固定ロ−ラ７、バックル８、折りナイフ９が表示される。
【００５７】
タッチキ−２の折形キ−（ａ）を押すと、図２のような種々の折形が表示される表示画面に切り替わる。ロ−ラ間隔キ−（ｂ）を押すと図１の画面が表示される。セットアップキ−（ｃ）は、折形のプリセットや折りロ−ラ、バックルの配置等をセットアップする。メモリキ−（ｄ）を操作して、セットアップキ−（ｃ）で設定された内容を記憶部に記憶する。リセット１（ｅ）キ−は、セットアップキ−（ｃ）で設定された内容と記憶部に記憶された内容とをリセットする。
【００５８】
可動ロ−ラ６は、矢視方向に昇降しまたは左右方向等に移動する。可動ロ−ラ６には、１から１０までの番号を付している。固定ロ−ラ７は、（＋）を付した三個のロ−ラが表示されている。バックル８には、１から６までの番号を付している。
【００５９】
用紙の枚数表示欄３には、前記したように次段のバックルの使用の有無に応じて、折形に対応して演算で求めた各折りロ−ラを通過する用紙の最大値または最小値が表示される。タッチキ−２のセ−ブキ−（ｆ）は、枚数表示欄３の数値をセ−ブし、リセットキ−２（ｇ）は枚数表示欄３の数値をリセットする。
【００６０】
図３は、各折りロ−ラ間の間隔調整の一例を示す斜視図である。図３において、１３ａ〜１３ｃは可動板、１４は固定板である。各可動板１３ａ〜１３ｃは、折りロ−ラの軸と機械的動力伝達機構を介して連結されており、押し下げると折りロ−ラ間の間隔が広くなり、押し上げると折りロ−ラ間のロ−ラ間隔が狭くなる。各可動板を操作して折りロ−ラ間の間隔を表示欄３に表示された所定の間隔に設定する。この間隔設定は、折り処理される用紙と同じ用紙を可動板と固定板との間に所定枚数挟み込むことにより行われる。
【００６１】
固定板１４には、図１の枚数表示欄３の位置に対応させて、折りロ−ラ間隔の位置を表示する標識１４ａを設けている。図３の例では、標識Ｂの位置では三枚の用紙Ｐ３を挾み、標識Ａの位置では二枚の用紙Ｐ２を挾み、標識Ｃの位置では一枚の用紙Ｐ１を挾んでいる。１５ａ〜１５ｃは、各折りロ−ラの間隔の微調整用ツマミで、前記各可動板と同様に折りロ−ラの軸と機械的動力伝達機構を介して連結されている。
【００６２】
可動板と固定板との間に用紙を所定枚数挟み込むことにより、各折りロ−ラ間の間隔を調整してから試し折りを実施する。この際に、最初の演算で求めた間隔では設定通りの折り処理が行なえない場合には、図１のアップキ−４またはダウンキ−５を操作して表示欄３の数値を変更する。修正した数値に基づき可動板を操作して可動板と固定板との間に挟み込む最適の用紙の枚数（折りロ−ラの間隔）を設定する。
【００６３】
図２は、表示画面に種々の折形１１を表示する例の説明図である。タッチキ−２の他形状キ−（ｈ）は、図示された以外の折形をセットアップする際に使用する。メモリ読み出しキ−（ｉ）は、記憶部に記憶されている折形を読み出すキ−である。所定の折形にタッチするとこの折形は画面が反転する。このような折形の選定は、図４の入力部Ａ１に設けている折形ボタンｂの操作に相当する。
【００６４】
１２は用紙サイズの表示欄で、折り処理される用紙の長さと幅のサイズが表示される。この用紙のサイズは、Ａ４、Ｂ４等の定形用紙のサイズが予め記憶部に記憶されており、スクロ−ルキ−（ｊ）、（ｋ）の操作により順次表示される。このような用紙サイズの選定は、図４の入力部Ａ１に設けている用紙サイズボタンａの操作に相当する。折形を選定し、用紙サイズを設定してＥｎｔｅｒキ−（ｌ）を操作する。
【００６５】
図５は、図１のように折りロ−ラと折りナイフが配置された用紙折機の折りロ−ラ間の間隔（ロ−ラギャップ）を計算する処理手順を示すフロ−チャ−トである。次にこのフロ−チャ−トについて説明する。なお、図５において、バックルの番号は、図１のバックル番号と対応している。
【００６６】
（１）ステップＳ１でロ−ラギャップ計算の処理プログラムをスタ−トさせる。次に、ステップＳ２で折形の設定、用紙サイズの設定等の初期設定を行なう。続いて、ステップＲ１でギャップ１を１（用紙１枚）に設定する。ここで、ギャップの番号（数値）は、図１の用紙入力側Ｅからみて順次１から１０までの番号を付与している。例えば、可動ロ−ラの番号２と番号３との間のギャップは、ギャップ３である。
【００６７】
（２）次にステップＳ３でバックル１のサブル−チン処理を行なう。バックルの処理については図６のフロ−チャ−トにより後述する。続いてステップＲ２でギャップ２をＭＩＮ（１）に設定する。以下、ステップＳ４〜ステップＳ６で各バックル２、３、４の処理を行なう。また、ステップＲ３、Ｒ４でギャップ３、４をそれぞれＭＩＮ（２）、ＭＩＮ（３）に設定する。更に、ステップＲ５でギャップ５とギャップ６をＭＡＸ（４）に設定する。
【００６８】
（３）次に、ステップＳ７においてナイフの処理のサブル−チン処理を実行する。ナイフの処理については、図７のフロ−チャ−トで後述する。続いてステップＲ６において、ギャップ７をＭＡＸ（ナイフ）、ギャップ８をＭＩＮ（ナイフ）に設定する。次に、ステップＳ８、Ｓ９でバックル５、６の処理を行い、ステップＲ７でギャップ９をＭＩＮ（５）に設定し、ステップＲ８でギャップ１０をＭＡＸ（６）に設定する。
【００６９】
（４）次に、ステップＳ１０のサブル−チン処理において、バックルの使用状態に合わせて各折りロ−ラのギャップを調整する。この調整は、ステップＲ９において、ギャップ２をＭＡＸ（１）に、ギャップ３をＭＡＸ（２）に、ギャップ４をＭＡＸ（３）に、ギャップ９をＭＡＸ（５）に設定するものである。
【００７０】
すなわち、ステップＲ２〜Ｒ４においいては、初期値としてギャップ２〜４の間隔をＭＩＮ（１）〜ＭＩＮ（３）に設定しているが、ステップＲ９の処理においては、前記のように次段のバックルの使用の有無に応じてギャップ２〜４の間隔をＭＡＸ（１）〜ＭＡＸ（３）に修正するものである。
【００７１】
図６は、バックル処理のサブル−チン処理の処理手順を示すフロ−チャ−トである。次に、このフロ−チャ−トについて説明する。
【００７２】
ステップＳ１１でバックル処理のサブル−チン処理のプログラムをスタ−トさせる。次に、ステップＳ１２の処理において、用紙配列の先頭からストッパ長さだけ折り返し、続いてステップＳ１３の処理において折り返した分をずらせて用紙の先頭位置合わせを実行する。次に、ステップＳ１４の処理で折りロ−ラ間の用紙の通過枚数の最大値と最小値をそれぞれ記憶部のＭＡＸ、ＭＩＮの領域に記憶させる。
【００７３】
図７は、ナイフ処理のサブル−チン処理の処理手順を示すフロ−チャ−トである。次に、このフロ−チャ−トについて説明する。
【００７４】
（１）ステップＳ２１でナイフ処理のサブル−チン処理のプログラムをスタ−トさせる。次に、ステップＳ２２において、折りナイフを使用するかどうかを判定する。この判定結果がＹＥＳであれば、次にステップＳ２３の処理において、用紙配列（０−１００％）にギャップ６の厚さをセットし、ステップＳ２４でバックルの処理のサブル−チン処理に移行する。
【００７５】
（２）ステップＳ２２の判定結果がＮＯであれば、次にステップＳ２５の処理で用紙配列（０−１００％）に０を設定し、ステップＳ２６でバックルの処理のサブル−チン処理に移行する。
【００７６】
なお、上記のように折りナイフによる処理を行なう際には、図１７において搬送部Ｓの終端付近に設けられているガイド板Ｓ１、Ｓ２は、用紙のサイズが設定されると、用紙の幅方向のサイズに応じてそれぞれ矢視Ｇ１、Ｇ２方向に移動し、第１の用紙折り部および第２の用紙折り部に対して位置合わせを行なう。このため、図４の入力部Ａ１において所定の設定を行なえば、特別な設定を行なうことなく第２の用紙折り部を動作させることができる。
【００７７】
図１、図２に示した表示画面１は、本発明の一例を示すものであり、他の項目を表示させることができる。例えば、図８〜図１０で示したように、折形を選定した際に、用紙の折り返し分を含めたパ−セント領域（０−２００％）の用紙の重なり枚数を、用紙配列のアルゴリズム〔２２２・・・１１１・・・０００・・〕で表示することも可能である。このような用紙配列のアルゴリズムのパタ−ン表示を行なうことにより、用紙の各％領域の重なり枚数、すなわち、折形の特性を視覚により把握することができる。
【００７８】
また、各折りロ−ラ間の間隔調整は、図３に示したような可動板と固定板との間に用紙を挾むことによる手動設定に変えて、例えば演算で求めた数値をサ−ボモ−タに出力し、サ−ボモ−タを駆動して自動的に折りロ−ラ間の間隔を調整する構成とすることもできる。
【００７９】
【発明の効果】
以上説明したように請求項１に係る発明は、入力された折形に対応して各折りロ−ラを通過する用紙の最大値と最小値を演算する制御部を設け、前記演算結果に基づいて、折りロ−ラ間の間隔を調整する構成としている。このため、折りロ−ラ間の間隔調整を簡単に行なうことができる。また、多種類の折形に対応させて折りロ−ラ間の間隔を設定したテ−ブルを予め記憶装置に記憶させる必要がないので、記憶装置の有効利用が図れる。
【００８０】
また、請求項２に係る発明は、折りロ−ラとバックルとの組み合わせで用紙に所定の折形を付与する用紙折り部に、折りナイフおよび一対の折りロ−ラを有する他の用紙折り部を連接して設けているので、多様な折形の付与に対応できる。
【００８１】
また、請求項３に係る発明は、入力される折形に対応させて用紙のパ−セント領域毎の重なり枚数を演算する制御部を設けると共に、当該演算結果をパタ−ン表示する表示部を設けているので、用紙の各パ−セント領域の重なり枚数、すなわち、折形の特性を視覚により把握することができる。
【図面の簡単な説明】
【図１】本発明の実施の形態である用紙折機の制御装置に設けた表示画面の説明図である。
【図２】本発明の実施の形態である用紙折機の制御装置に設けた表示画面の説明図である。
【図３】用紙挾み部の概略構成を示す斜視図である。
【図４】用紙折機の制御装置を示すブロック図である。
【図５】折りロ−ラ間のギャップを計算する処理手順を示すフロ−チャ−トである。
【図６】バックルのサブル−チン処理の処理手順を示すフロ−チャ−トである。
【図７】折りナイフのサブル−チン処理の処理手順を示すフロ−チャ−トである。
【図８】本発明の演算処理の基本原理を示す説明図である。
【図９】片袖折りを行なう際の用紙配列のアルゴリズムの説明図である。
【図１０】片袖折りを行なう際の用紙配列のアルゴリズムの説明図である。
【図１１】片袖折りを行なう際の折りロ−ラとバックルとの動作を示す側面図である。
【図１２】片袖折りを行なう際の折りロ−ラとバックルとの動作を示す側面図である。
【図１３】片袖折りを行なう際の折りロ−ラとバックルとの動作を示す側面図である。
【図１４】二つ折りの折形を示す斜視図である。
【図１５】片袖折りの折形を示す斜視図である。
【図１６】四つ折りの折形を示す斜視図である。
【図１７】用紙折機の全体構成を示す斜視図である。
【図１８】折りロ−ラとバックルとの配置例を示す側面図である。
【符号の説明】
１    表示画面
２    タッチキ−
３    用紙の枚数表示欄
４    アップキ−
５    ダウンキ−
６    可動キ−
７    固定キ−
８    バックル
９    折りナイフ
１１    折形
１２    用紙サイズ表示欄
Ａ１    入力部
Ｂ１    制御部
Ｃ１    表示部
Ｆ１    記憶部
【図１】
0004190666.tif 000002
【図２】
0004190666.tif 000003
【図３】
0004190666.tif 000004
【図４】
0004190666.tif 000005
【図５】
0004190666.tif 000006
【図６】
0004190666.tif 000007
【図７】
0004190666.tif 000008
【図８】
0004190666.tif 000009
【図９】
0004190666.tif 000010
【図１０】
0004190666.tif 000011
【図１１】
0004190666.tif 000012
【図１２】
0004190666.tif 000013
【図１３】
0004190666.tif 000014
【図１４】
0004190666.tif 000015
【図１５】
0004190666.tif 000016
【図１６】
0004190666.tif 000017
【図１７】
0004190666.tif 000018
【図１８】
0004190666.tif 000019